(57)【特許請求の範囲】
【請求項１】
包装フィルムの一側端縁ならびに一側他端縁を折り返して筒状の包装袋とし、該折り返された包装フィルムの両端部の内面同士を対向させて合掌貼りにして背シール帯を形成し、前記包装袋の上方に位置する開口部には天シール帯を形成し、前記包装袋の下方に位置する開口部には底シール帯を形成し、前記包装フィルムの引き裂き方向が前記背シール帯と直交する方向に形成される片寄り合掌シールタイプのピロー包装袋において、
前記背シール帯が、前記包装袋の一側端縁方向に片寄せられて配設されると共に、前記包装袋の引き裂き方向と対向する方向に折り曲げられて成り、
前記天シール帯における一側端縁近傍に設けられる天シール延設部に刻設されるノッチ部と、前記背シール帯の合掌貼りされる端部に刻設されるノッチ部と、が同時加工されて同位置に配設されると共に、前記包装フィルムの横方向の引き裂き性に対して平行に設けられることを特徴とするピロー包装袋。
【請求項２】
前記包装フィルムが、一軸延伸フィルムまたは二軸延伸フィルムで形成されていることを特徴とする請求項１記載のピロー包装袋。
【請求項３】
前記包装フィルムが、積層フィルムまたは単層フィルムで構成されていることを特徴とする請求項１又は請求項２記載のピロー包装袋。
【請求項４】
前記ノッチ部が、前記底シール帯における一側端縁近傍に設けられる底シール延設部にも設けられ、且つ、前記背シール帯の合掌貼りされる端部に刻設されるノッチ部と同時加工されて同位置に配設されると共に、前記包装フィルムの横方向の引き裂き性に対して平行に設けられていることを特徴とする請求項１から請求項３の何れかに記載のピロー包装袋。
【請求項５】
前記包装フィルムが、二軸延伸フィルムで形成され、
前記包装袋の上方に位置する天シール帯の開口部ならびに下方に位置する底シール帯の開口部に、縦方向に引き裂かれる複数のノッチ部を等間隔に配設したことを特徴とする請求項１又は請求項３又は請求項４の何れかに記載のピロー包装袋。
【発明の詳細な説明】
【技術分野】
【０００１】
本発明は、食べ易い横方向に開封する易開封性手段を備えると共に、該開封された包装袋をそのまま飲食用容器袋ならびに保存用容器袋として利用できる片寄り合掌シールタイプのピロー包装袋に関する。
【背景技術】
【０００２】
従来より、一般食品や冷凍食品、飲料品、ペット用品、家庭用品、衛生用品、医薬品、日用雑貨品等を包装する包装袋は、充填される内容物の品質や形状、内容量に合わせて合成樹脂製のフィルム又はシートを使用して二方シール、三方シール、四方シール、合掌貼りピローシール、襞付きガセットシール、封筒貼りシール、側面シール、平底シール、角底シールなどの多様なシール包装袋で包装されている。
【０００３】
特に一般食品におけるシール包装袋としては、三方シール、四方シール、合掌貼りピローシール、襞付きガセットシールなどのシール包装袋が採用されており、その充填される内容物の品質や形状、内容量に合わせて上記のシール包装袋が使用されている。例えば、三方シール、四方シールは漬物や乾物食品やレトルト食品の包装袋として使用され、合掌貼りピローシールはポテトチップスやアイスクリーム、即席ラーメンなどの菓子や食料品の包装袋として使用され、襞付きガセットシールはセット商品やペット用品、衛生用品などの包装袋として使用されている。そして、これら各包装袋の開封方法としては、シール包装袋の端縁部にノッチ、ジッパー、ミシン目、切込みなどの易開封性手段が設けられ、開封時の開封性を良くしているものである。
【０００４】
しかしながら、従来の合掌貼りピロー包装袋に係わる易開封性手段の多くは、例えば「アルミ箔包装袋の片側のみを平面的に開封する方法およびその包装物」（特許文献１）に見られるような、シール包装袋の上下の設けられる易開封性手段と引き裂き方向が縦方向に配設される包装フィルム素材によって形成されるもので、開封口が食べ易い横方向に開封することができない上に、開封された包装袋をそのまま飲食用容器袋として使用できない問題点が指摘されるものであり、本発明における「ピロー包装袋」と比較して、食べ易い横方向に開封する易開封性を有すると共に、開封された包装袋をそのまま飲食用容器袋として利用することができる易開封性手段を備えるものではなかった。
【０００５】
また従来より、上記の問題点を解決しようとする提案がなされている。例えば、トップと背とでシールされてなるボトム開口のプラスチックフィルム製の平袋であって、且つシールされているトップ位置の左及び／又は右の横側端縁部分にノッチが刻設された「プラスチックフィルム製平袋」（特許文献２）が提案されている。
【０００６】
しかしながら、上記の「プラスチックフィルム製平袋」に係る技術は、包装フィルムの略半分に開口幅を設けることを目的とする提案であることから、粉末ならびに顆粒状の薬剤などの包装袋として利用することはできるが、一般的な菓子類などの食品用の包装袋としては、食べ易い横方向に全面開封することができないため、その開封された包装袋をそのまま飲食用容器袋として利用することができないものであり、本発明における「ピロー包装袋」と比較して、包装袋の天シール延設部に刻設されるノッチ部と背シール帯の合掌貼りされる端部に刻設されるノッチ部が包装袋の一側端縁方向に片寄せて配設されることによって、開口部を広く設けることができる易開封性手段を備えるものではなかった。
【０００７】
また従来より、上記の問題点を解決しようとする提案がなされている。例えば、フィルムを円曲させて両端を重ね合わせると共に、この重ね合わせた部分をヒートシールする封筒貼り方式で背貼りシールが行われたピロー包装袋において、前記封筒貼り部分のフィルムの端縁に沿って易開封性手段を設けて成る「易開封性手段を施したピロー包装袋」（特許文献３）が提案されている。
【０００８】
しかしながら、上記の「易開封性手段を施したピロー包装袋」に係る技術は、包装袋を形成するロール状のシールの両端または片端に沿って予め微細な切り込みや刻み目を入れておく必要があるため、その加工における工数ならびに工程が製造工程に組み込まれることによって製造原価のコストアップに繋がると共に、微細な切り込みや刻み目が細かい襞状になることによって背貼りシール部のヒートシール加工時の捲れやしわの発生原因となって、バリア性の減退ならびに外観の美観性を損なうものであり、また包装袋の引き裂き開封開始側から幅方向に引き裂く場合に、中央に位置する背貼りシール部の微細な切り込みや刻み目の加工が施されていない折り曲げ元部ならびにヒートシール突合せ端部（図示では図１（Ｄ）の合掌シール部の右側の引き裂かれてきた面の端部と対向する実線部を含む折り曲げ端部）が一定の引き裂き強度を残しているため、開封開始時の指で摘んだ状態のままで背貼りシール部を乗り越えてシールの両端を一気に引き裂くことができないものであった（詳細説明：段落〔００６２〕ならびに図７参照）。加えて、折り曲げ元部が開封開始状態のまま指で容易に引き裂くことができないことから、一旦摘んだ包装袋の端縁を持ち直して再び背貼りシール部の折り曲げ元部のノッチ部を引き裂かなければならず、その引き裂き時において二重の手間を要するものであり、本発明における「ピロー包装袋」と比較して、天シール帯の加工工程において包装袋の天シール延設部に刻設されるノッチ部と背シール帯の合掌貼りされる端部に刻設されるノッチ部が同時加工されて同位置に配設されると共に横方向の引き裂き性に対して平行に設けられる構造や、引き裂き途中過程において背シール帯の折り曲げ元部ならびにヒートシール突合せ端部を引き裂く必要がない構造や、包装袋を形成するロール状のシールの両端または片端に沿って予め微細な切り込みや刻み目を入れておく必要がない易開封性手段を備えるものではなかった。
【０００９】
また従来より、背貼りシールの端縁に沿って易開封性手段を設け、この易開封性手段を設けた背貼りシール部分を袋の引き裂き開封開始側に倒して袋の裏面にヒートシールを行って成る「易開封性手段を施したピロー包装袋」（特許文献４）が提案されている。
【００１０】
しかしながら、上記の「易開封性手段を施したピロー包装袋」に係る技術は、前述の「易開封性手段を施したピロー包装袋」（特許文献３）の提案と同様に、包装袋を形成するロール状のシールの両端に沿って予め微細な切り込みや刻み目を入れておく必要があるため、その加工における工数ならびに工程が製造工程に組み込まれることによって製造原価のコストアップに繋がると共に、微細な切り込みや刻み目が細かい襞状になることによって背貼りシール部のヒートシール加工時の捲れやしわの発生原因となって、バリア性の減退ならびに外観の美観性を損なうものであった。また、包装袋の引き裂き開封開始側から幅方向に引き裂く場合に、中央に位置する背貼りシール部の微細な切り込みや刻み目の加工が施されていない折り曲げ元部（図示では図２（Ｄ）の合掌シール部の右側の引き裂かれてきた面の端部と対向する破線部を含む折り曲げ端部）が一定の引き裂き強度を残しているため、開封開始時の指で摘んだ状態のままで背貼りシール部を乗り越えてヒートシール突合せ端部を一気に引き裂くことができないものであった（詳細説明：段落〔００６２〕ならびに図７参照）。加えて、折り曲げ元部が開封開始状態のまま指で容易に引き裂くことができないことから、一旦摘んだ包装袋の端縁を持ち直して再び背貼りシール部の折り曲げ元部のノッチ部を引き裂かなければならず、その引き裂き時において二重の手間を要するものであり、本発明における「ピロー包装袋」と比較して、天シール帯の加工工程において包装袋の天シール延設部に刻設されるノッチ部と背シール帯の合掌貼りされる端部に刻設されるノッチ部が同時加工されて同位置に配設されると共に横方向の引き裂き性に対して平行に設けられる構造や、引き裂き途中過程において背シール帯の折り曲げ元部ならびにヒートシール突合せ端部を引き裂く必要がない構造や、包装袋を形成するロール状のシールの両端に沿って予め微細な切り込みや刻み目を入れておく必要がない易開封性手段を備えるものではなかった。
【００１１】
また従来より、上記の問題点を解決しようとする提案がなされている。例えば、シーラント層を有するプラスチック複合フィルムを筒状にし、一方の端縁ともう一方の端縁の内側同士を対向させて合掌シールし、その上方の開口部を天シールし、下方の開口部を底シールしてなる合掌シールタイプのピロー包装袋において、前記合掌シール部分に包装袋の引き裂き方向とは逆方向に折り曲げられて、包装袋本体の一方の面に貼着またはシールされる「ピロー包装袋」（特許文献５）が提案されている。
【００１２】
しかしながら、上記の「ピロー包装袋」に係る技術は、包装袋本体の略中央に設けられている合掌シール部に設けられている複数のノッチと包装袋本体の端縁に設けられる引き裂きが開始されるノッチ部の距離が離れているため、必ずしも積層プラスチックフィルムの直進カット性によって直線的に引き裂かれるものとは限らないものであり、また、包装袋の引き裂き開封開始側から幅方向に引き裂く場合に、中央に位置する合掌シール部の複数のノッチ部が施されていない折り曲げ元部（図示では図１または図２の合掌シール部の左側の引き裂かれてきた面の端部と対向する実線部を含む折り曲げ端部）が一定の引き裂き強度を残しているため、開封開始時の指で摘んだ状態のままで背貼りシール部を乗り越えてヒートシール突合せ端部を一気に引き裂くことができないものであった（詳細説明：段落〔００６２〕ならびに図７参照）。加えて、折り曲げ元部が開封開始状態のまま指で容易に引き裂くことができないことから、一旦摘んだ包装袋の端縁を持ち直して再び背貼りシール部の折り曲げ元部のノッチ部を引き裂かなければならず、その引き裂き時において二重の手間を要するものであり、本発明における「ピロー包装袋」と比較して、天シール帯の加工工程において包装袋の天シール延設部に刻設されるノッチ部と背シール帯の合掌貼りされる端部に刻設されるノッチ部とが同時加工されて同位置に配設されると共に横方向の引き裂き性に対して平行に設けられると同時に背シール帯の位置が包装袋の端縁に片寄せられて配置されることから、引き裂き途中において背シール帯の折り曲げ元部ならびにヒートシール突合せ端部を引き裂く必要がない易開封性手段を備えるものではなかった。
【００１３】
また従来より、上記の合掌シール部と包装袋本体の端縁に設けられるノッチ部の距離を縮めることができる提案がなされている。例えば、背シール帯の位置を包装袋の端縁に片寄せし、縦方向に引き裂いて開口することによって開口部を大きく開くことができる「包装袋」（特許文献６）が提案されている。
【００１４】
しかしながら、上記の「包装袋」に係る技術は、包装袋を縦方向に引き裂いて開口部を大きく開くことを目的とした提案であって、比較的小さな包装袋においては有効であるが、ポテトチップスなどの大きな包装袋においては、縦方向に引き裂いて開口部を設けた場合に中身の充填物が開封と同時に開口部からこぼれ出してしまうものであると共に、開封された包装袋をそのまま飲食用容器袋として使用することができないものであり、本発明における「ピロー包装袋」と比較して、包装袋の天シール延設部に刻設されるノッチ部と背シール帯の合掌貼りされる端部に刻設されるノッチ部が包装袋の一側端縁方向に片寄せて配設されることによって、横方向に容易に引き裂くことができる易開封性手段を備えるものではなかった。
【００１５】
また従来より、積層されるフィルムの何れかのフィルムに切り込みを入れて易開封性を持たせた「包装袋」（特許文献７）が提案されている。
【００１６】
しかしながら、上記の「包装袋」に係る技術は、積層されるフィルムの何れかのフィルムにライン状の切り込みを刻設することになることから、耐ピンホール性が悪く、さらにそのライン状の切り込み部に移動時や運搬時に局部的に摩擦が掛かったりすると摩擦ピンホールを始め、屈曲ピンホール、突き刺しピンホールなどの不良要因が発生し易くなる問題があるものであり、本発明における「ピロー包装袋」と比較して、包装フィルムが一軸延伸フィルムまたは二軸延伸フィルムで形成されると共に、横方向に引き裂くことができるノッチ部が同時加工されて同位置に配設されると共に横方向の引き裂き性に対して平行に設けられることで、積層されるフィルムの何れかのフィルムに切り込みを入れることなく横方向に容易に引き裂くことができる易開封性手段を備えるものではなかった。
【００１７】
本出願人は、以上のような従来のピロー包装袋の問題点を解決するために、背シール帯と、ノッチ部の位置と、包装フィルムの引き裂き性の方向に着目し、開口部が直線性をもって綺麗に開封され、且つ開封された包装袋をそのまま飲食用容器袋ならびに保存用容器袋として利用できないものかとの着想の下、食べ易い横方向に開封する易開封性手段を備えると共に、該開封された包装袋をそのまま飲食用容器袋ならびに保存用容器袋として利用できる片寄り合掌シールタイプの包装袋を開発し、本発明の「ピロー包装袋」の提案に至るものである。
【先行技術文献】
【特許文献】
【００１８】
【特許文献１】特開平７-３２９９８５号公報
【特許文献２】特開２００２-１９７９７号公報
【特許文献３】特開２００４-２５６１５９号公報
【特許文献４】特開２００４-２５６１５８号公報
【特許文献５】特開２００６-１１１３１１号公報
【特許文献６】実用新案登録第２５４６０３２号公報
【特許文献７】特開２００６-３４１９３２号公報
【発明の概要】
【発明が解決しようとする課題】
【００１９】
本発明は上記問題点に鑑み、食べ易い横方向に開封する易開封性手段を備えると共に、該開封された包装袋をそのまま飲食用容器袋ならびに保存用容器袋として利用できる片寄り合掌シールタイプのピロー包装袋を提供することを課題とする。
【課題を解決するための手段】
【００２０】
本発明のピロー包装袋は、包装フィルムの一側端縁ならびに一側他端縁を折り返して筒状の包装袋とし、該折り返された包装フィルムの両端部の内面同士を対向させて合掌貼りにして背シール帯を形成し、前記包装袋の上方に位置する開口部には天シール帯を形成し、前記包装袋の下方に位置する開口部には底シール帯を形成し、前記包装フィルムの引き裂き方向が前記背シール帯と直交する方向に形成される片寄り合掌シールタイプのピロー包装袋において、前記背シール帯が、前記包装袋の一側端縁方向に片寄せられて配設されると共に、前記包装袋の引き裂き方向と対向する方向に折り曲げられて成り、前記天シール帯における一側端縁近傍に設けられる天シール延設部に刻設されるノッチ部と、前記背シール帯の合掌貼りされる端部に刻設されるノッチ部と、が同時加工されて同位置に配設されると共に、前記包装フィルムの横方向の引き裂き性に対して平行に設けられる手段を採る。
【００２１】
また本発明のピロー包装袋は、前記包装フィルムが、一軸延伸フィルムまたは二軸延伸フィルムで形成されている手段を採る。
【００２２】
また本発明のピロー包装袋は、前記包装フィルムが、積層フィルムまたは単層フィルムで構成されている手段を採る。
【００２３】
また本発明のピロー包装袋は、前記ノッチ部が、前記底シール帯における一側端縁近傍に設けられる底シール延設部にも設けられ、且つ、前記背シール帯の合掌貼りされる端部に刻設されるノッチ部と同時加工されて同位置に配設されると共に、前記包装フィルムの横方向の引き裂き性に対して平行に設けられた手段を採る。
【００２４】
また本発明のピロー包装袋は、前記包装フィルムが、二軸延伸フィルムで形成され、前記包装袋の上方に位置する天シール帯の開口部ならびに下方に位置する底シール帯の開口部に、縦方向に引き裂かれる複数のノッチ部を等間隔に配設した手段を採る。
【発明の効果】
【００２５】
本発明のピロー包装袋によれば、食べ易い横方向に開封する易開封性手段を備えると共に、該開封された包装袋をそのまま飲食用容器袋ならびに保存用容器袋として利用することができるといった、優れた効果を奏する。
【００２６】
また本発明のピロー包装袋によれば、天シール帯のヒートシール加工工程において、包装袋の天シール延設部に刻設されるノッチ部と背シール帯の合掌貼りされる端部に刻設されるノッチ部が同時加工されて同位置に配設されると共に、横方向の引き裂き性に対して平行に設けられることから、ノッチ部の加工位置の精度向上と、包装袋の一側端縁部と背シール帯の端部の引き裂き性の向上と、ノッチ部の加工コストの低廉が図られるといった、優れた効果を奏する。
【００２７】
また本発明のピロー包装袋によれば、包装袋の背シール帯が包装袋の一側端縁方向に片寄せられて配設されることから、包装袋の背シール帯が設けられる背面のパッケージ印刷領域を広く取ることができると共に、開封開始時において背シール帯の折り曲げ元部ならびにヒートシール突合せ端部を両手の指先で摘んだ状態で容易に引き裂くことができるといった、優れた効果を奏する。
【００２８】
また本発明のピロー包装袋によれば、包装袋の両側端縁が折り返された筒状の包装袋であると同時に、上下に位置する開口部が直線状に端麗に切断されることから、従来の連続するギザギザ状のノッチ部と比較して安全性と外観の美観性に優れ、また、高級菓子の包装袋としてやポテトチップの横方向に開口部を設けた食べやすい包装袋として使用することができると共に、アイスクリームなどの開封された包装袋をそのまま飲食用容器袋として使用することもできるといった、優れた効果を奏する。
【００２９】
また本発明のピロー包装袋によれば、開封開始時にノッチ部が包装袋の一側端縁に位置するため、左右の手で力が入り易い状態で摘むことができると共に、包装袋の天シール延設部に刻設されるノッチ部と背シール帯が合掌貼りされる端部に刻設されるノッチ部と背シール帯のヒートシール突合せ端部を開封開始時に同時に引き裂くことができ、さらには、開封途中に背シール帯がないため持ち替える必要性がなくなるといった、従来のピロー包装袋と比較して多くの利便性を備える優れた効果を奏する。
【００３０】
また本発明のピロー包装袋によれば、従来の縦型ピロー製袋機を改造して製造することができることから、初期導入コストの抑制と製造工程の変更が容易であるといった、優れた効果も奏するものである。
【００３１】
また本発明のピロー包装袋によれば、包装袋の上方に位置する天シール帯の開口部ならびに下方に位置する底シール帯の開口部に、縦方向に引き裂かれる複数のノッチ部が等間隔に配設されているため、必要とする分量の幅に位置するノッチ部を選択して引き裂くことによって、棒状乾燥麺等の必要とする分量だけ取り出して小分けすることができると共に、小分けして包装袋内に残された棒状乾燥麺は保存用キャップ等の密閉具を使わずにそのまま包装袋を多めに二つ折りに折り畳んで輪ゴムで縛るなどして、開封口をその場で簡単に封止することもできるといった、優れた効果を奏する。
【図面の簡単な説明】
【００３２】
【図１】本発明におけるピロー包装袋のヒートシール構造を示す説明図である。（実施例１）
【図２】本発明におけるピロー包装袋のシール帯別の説明図である。
【図３】本発明におけるピロー包装袋の製造手順を示すチャート図である。
【図４】本発明におけるピロー包装袋の開封状態を示す説明図である。
【図５】本発明におけるピロー包装袋の別の実施形態を示す説明図である。（実施例２）
【図６】本発明におけるピロー包装袋の別の実施形態を示す説明図である。（実施例３）
【図７】従来のピロー包装袋の開封状態を示す断面説明図である。
【発明を実施するための形態】
【００３３】
本発明のピロー包装袋は、包装フィルムの両側端縁を折り返して筒状の包装袋とし、折り返された包装フィルムの両端部の内面同士を対向させて合掌貼りにして背シール帯を形成し、包装袋の上方に位置する開口部には天シール帯を形成し、包装袋の下方に位置する開口部には底シール帯を形成し、包装フィルムの引き裂き方向が背シール帯と直交する方向に形成される片寄り合掌シールタイプのピロー包装袋において、背シール帯が、包装袋の一側端縁方向に片寄せられて配設されると共に、包装袋の引き裂き方向と対向する方向に折り曲げられて成り、天シール帯における一側端縁近傍に設けられる天シール延設部に刻設されるノッチ部と、背シール帯の合掌貼りされる端部に刻設されるノッチ部と、が同時加工されて同位置に配設されると共に、包装フィルムの横方向の引き裂き性に対して平行に設けられる手段を採ったことを最大の特徴とする。以下、本発明に係るピロー包装袋の実施形態を、図面に基づいて説明する。
【００３４】
なお、本発明のピロー包装袋１０における寸法ならび形状は、下記に述べる実施例に特に限定されるものでなく、本発明の技術的思想に逸脱しない範囲で任意に変更することができる。
【実施例１】
【００３５】
図１は本発明におけるピロー包装袋のヒートシール構造を示す説明図であり、図１（ａ）はヒートシール構造を示す展開図、図1（ｂ）は全体のヒートシール状態を示す説明図である。
また、図２は本発明におけるピロー包装袋のシール帯別の説明図であり、図２（ａ）は天シール帯と底シール帯のヒートシール状態を示し、図２（ｂ）は背シール帯のヒートシール状態を示し、図２（ｃ）は全体のヒートシール状態を示している。
本発明のピロー包装袋１０は、包装フィルム１０ｂの両側端縁１１（一側端縁１１ａならびに一側他端縁１１ｂ）を折り返して筒状の包装袋１０ａとし、該折り返された包装フィルム１０ｂの両端部４１の内面同士を対向させて合掌貼りにして背シール帯４０を形成し、包装袋１０ａの上方に位置する開口部２１には天シール帯２０を形成し、包装袋１０ａの下方に位置する開口部３１には底シール帯３０を形成し、包装フィルム１０ｂの引き裂き方向が背シール帯４０と直交する方向に形成される片寄り合掌シールタイプのピロー包装袋１０である。
【００３６】
包装フィルム１０ｂは、開封時に背シール帯４０と直交する横方向Ｙに易開封性手段（直進カット性の引き裂き方向）が配設された延伸フィルムで形成されるもので、直進カット性を一方向に延伸する一軸延伸フィルムと、直進カット性を二方向に延伸する二軸延伸フィルムが使用され、主な素材としては、例えばポリプロピレン（ＰＰ）、ポリエチレン（ＰＥ）、ナイロン（ＯＮ）等が顕著な延伸性を発揮する素材として使用されるものである。また、低価格の包装フィルム１０ｂを使用する場合は、易開封性手段（直進カット性の引き裂き方向）を背シール帯４０と直交する横方向Ｙに配設することにより、開封時における横方向Ｙの引き裂き性を少なくとも確保するものである。
【００３７】
また包装フィルム１０ｂは、積層フィルムまたは単層フィルムで構成されるもので、積層フィルムの場合は、例えば二軸延伸ポリプロピレン（ＯＰＰ）、ポリエステル（ＰＥＴ）、ナイロン（ＯＮ）などのベースフィルムと、ヒートシール材などのシーラントフィルムの間に酸素、水蒸気、光などを遮断するバリア性サンドフィルムを積層させるもので、その何れかに延伸フィルムを用いて開封時における引き裂き性を確保するものである。また、ラミネートフィルムとしては、例えば、アルミ箔・ポリ塩化ビニリデン・金属蒸着材料などを含むフィルムが使用され、最内層にはポリエチレン（ＰＥ）などが使用され、最外層にはセロファン（ＰＴ）・ポリエステル（ＰＥＴ）・ポリプロピレン（ＰＰ）などが使用されるものである。さらに、フィルムの厚みとしては、充填物の形状や内容量などに合わせて略１５〜７０μｍ程度の厚みのあるものが使用されるものである。尚、本発明のピロー包装袋１０における積層フィルムにおいては、開封時における横方向Ｙの引き裂き性を確保するものであれば、特にフィルム素材の材質を限定するものではない。
【００３８】
その積層フィルムの加工法としては、例えばプラスチックやアルミ箔、紙、板紙などの素材にポリエチレン（ＰＥ）やポリプロレン（ＰＰ）などを加熱して溶融し、フィルム状にして他の素材と貼り合わせることができると共に、防水性や防湿性、ヒートシール性に優れた液体容器などといった多くのものに利用されるエクストルージョンラミネート法を採用でき、また、アルミ箔やプラスチックなどへ天然ゴム系やウレタン系樹脂などの溶剤系接着剤を付着させ、乾燥機で溶剤を取り除き、加熱したロールで貼り付けることで、基材に関係なくラミネートのフィルムを貼り付けることができ、さらには、基材のほとんどに適応することができるドライラミネート法によって加工することができるものである。
【００３９】
一方、単層フィルムの場合は、例えばポリプロピレン（ＰＰ）、ポリエチレン（ＰＥ）などのプラスチックフィルムの引き裂き性のある方向を本発明のピロー包装袋１０の背シール帯４０と直交する横方向Ｙに配設することにより、開封時における横方向Ｙの引き裂き性を確保するものである。尚、本発明のピロー包装袋１０における単層フィルムにおいては、開封時における横方向Ｙの引き裂き性を確保するものであれば、特にフィルム素材の材質を限定するものではない。
【００４０】
両側端縁１１は、包装フィルム１０ｂの一側端縁１１ａならびに一側他端縁１１ｂを折り返して筒状の包装袋１０aを形成するもので、該一側端縁１１ａならびに一側他端縁１１ｂにヒートシール部を設けないで折り返すピロータイプの包装袋１０ａとすることによって、周縁のヒートシール部がない分だけ全体寸法のコンパクト化が図られると共に、外観の美観が向上して高級感を奏するものである。
【００４１】
天シール帯２０は、包装袋１０ａの上方に位置する開口部２１をヒートシール加工して形成されるもので、従来の連続するノッチ部が設けられる縦ピロータイプの包装袋１０ａと比較して、切断面が一直線状になることで外観の美観が向上して高級感を奏すると共に、開封時のノッチ部の凹凸形状による怪我を防止することができるものである。
【００４２】
天シール延設部２２は、天シール延設部２２内に設けられるノッチ部５０aを刻設するために、天シール帯２０における一側端縁１１a近傍に延設されるものである。
【００４３】
底シール帯３０は、包装袋１０ａの下方に位置する開口部３１をヒートシール加工して形成されるもので、従来連続するノッチ部が設けられる縦ピロータイプの包装袋１０ａと比較して、切断面が一直線状になることで外観の美観が向上して高級感を奏すると共に、開封時のノッチ部の凹凸形状による怪我を防止することができるものである。
【００４４】
背シール帯４０は、包装袋１０ａにおける折り返された包装フィルム１０ｂの両端部４１の内面同士を対向させて合掌貼りにした上でヒートシール加工して形成されるものであって、該包装袋１０ａの一側端縁１１ａ方向に片寄せて配設されることによって、食べ易い横方向Ｙに開封する易開封性手段を備えるものである。
【００４５】
また該背シール帯４０は、包装袋１０ａの引き裂き方向Ｚと対向する方向に折り曲げられて成り、天シール帯２０の天シール延設部２２に刻設されるノッチ部５０ａと背シール帯４０が合掌貼りされる端部４１に刻設されるノッチ部５０ｂとが同時加工されて同位置に配設されると共に、横方向Ｙの引き裂き性に対して該ノッチ部５０ａ，５０ｂが平行に設けられることによって、開封時における引き裂き性を向上させるものである。
【００４６】
折り曲げ元部４２は、包装袋１０ａと背シール帯４０との境に垂直方向に形成される折り曲げ箇所（背シール帯４０の合掌部の引き裂かれてきた面の端部と対向する折り曲げ部ならびにヒートシール突合せ端部４３）であって、引き裂き方向Ｚと対向する方向に折り曲げられる背シール帯４０とは異なり、合掌貼りされる端部４１に刻設されるノッチ部５０ｂの引き裂き効果が及ばない領域であると共に、開封時においては包装フィルム１０ｂの引き裂き強度が強いことも相俟って、両手の指先で千切らなければ切り裂くことができない箇所である（関連説明：段落〔００６２〕ならびに図７参照）。
【００４７】
ヒートシール突合せ端部４３は、包装袋１０ａと背シール帯４０との境に設けられる垂直方向に形成される折り曲げ元部４２において、背シール帯４０を含む折り曲げられる包装フィルム１０ｂが突合わされて三重に重なる引き裂き強度が強い端部であって、開封時においては上記の折り曲げ元部４２と相俟って、両手の指先で千切らなければ切り裂くことができない箇所である（関連説明：段落〔００６２〕ならびに図７参照）。
【００４８】
ノッチ部５０ａは、包装袋１０ａの天シール延設部２２に刻設されて成り、また、ノッチ部５０ｂは、背シール帯４０が合掌貼りされる端部４１に刻設されて成る。これらノッチ部５０ａ，５０ｂは、同時加工されて同位置に配設されると共に、横方向Ｙの引き裂き性に対して平行に設けられる易開封性手段である。またノッチ部５０ａ，５０ｂの形状については、一般的なＶ型、Ｉ型、Ｕ型などが考え得るが、引き裂き性を有するものであれば特にその形状を限定するものではない。
【００４９】
本発明による易開封性手段は、背シール帯４０が、包装袋１０ａの引き裂き方向Ｚと対向する方向に折り曲げられると共に、包装袋１０ａの一側端縁１１ａ方向に片寄せられて配設されること、天シール延設部２２に刻設されるノッチ部５０ａと背シール帯４０の合掌貼りされる端部４１に刻設されるノッチ部５０ｂとが同時加工されて同位置に配設されると共に横方向Ｙの引き裂き性に対して平行に設けられていること、包装フィルム１０ｂの引き裂き方向Ｚが背シール帯４０と直交する方向に配置されること、包装フィルム１０ｂが一軸延伸フィルムまたは二軸延伸フィルムで形成されていること、などの複数の易開封性手段によって構成されている。
【００５０】
図３は、本発明におけるピロー包装袋の製造手順を示すチャート図である。
（１）ロールフィルムの供給
（２）ピロー製袋機に投入
（３）背シール帯４０のヒートシール加工
・片寄り合掌合わせでヒートシールされる。
（４）底シール帯３０のヒートシール加工
（５）製品充填
・ヒートシール後直ぐに製品が充填されるためホットタック性が求められる。
（６）天シール帯２０のヒートシール加工
・天シール延設部２２に刻設されるノッチ部５０ａと、背シール帯４０が合掌貼りされる端部４１に刻設されるノッチ部５０ｂと、が同時加工されて同位置に配設されると共に、横方向Ｙの引き裂き性に対して平行に設けられる。
・天シール帯２０の上部端面が切断されて、一個毎に切り離される。
（７）ピロー製袋機からの排出
（８）品質検査
・重量、ピンホール、金属、破れ、包装不良等の機械ならびに目視検査が行われる。
（９）梱包・出荷
【００５１】
上記の天シール帯２０のヒートシール加工の過程で、天シール延設部２２に刻設されるノッチ部５０ａと、背シール帯４０が片寄り合掌貼りされる端部４１に刻設されるノッチ部５０ｂが同時加工されて同位置に配設されると共に、横方向Ｙの引き裂き性に対して平行に設けられるため、ノッチ部５０ａ，５０ｂの刻設位置決め精度が向上すると共に、従来と同じラインタクトで製造することができるものである。
【００５２】
図４は本発明におけるピロー包装袋の開封状態を示す説明図であり、図４（ａ）は開封開始時の状態を示し、図４（ｂ）は開封途中の状態を示している。
図４（ａ）に示すように、天シール延設部２２に刻設されるノッチ部５０ａと背シール帯４０が片寄り合掌貼りされる端部４１に刻設されるノッチ部５０ｂの両方を両手の指で持った状態で、ノッチ部５０ａ，５０ｂと背シール帯４０の折り曲げ元部４２ならびにヒートシール突合せ端部４３との３箇所を開封開始時の段階で同時に引き裂くことができるものである。
【００５３】
また、図４（ｂ）に示すように、開封途中で天シール延設部２２に刻設されるノッチ部５０ａと、背シール帯４０が片寄り合掌貼りされる端部４１に刻設されるノッチ部５０ｂと、ヒートシール突合せ端部４３とを、開封開始時の最初に指で持った状態で、天シール帯２０のヒートシール部の境界２３に沿って力を入れることなく直線的に引き裂くことができるものである。
【００５４】
本発明におけるピロー包装袋１０は、天シール延設部２２に刻設されるノッチ部５０ａと背シール帯４０が片寄り合掌貼りされる端部４１に刻設されるノッチ部５０ｂとが同時加工されて同位置に配設されると共に横方向Ｙの引き裂き性に対して平行に設けられるため左右の手で力が入り易い状態で摘むことができること、またそのノッチ部５０ａ，５０ｂと背シール帯４０の折り曲げ元部４２ならびにヒートシール突合せ端部４３との３箇所を横方向Ｙに同時に引き裂くことができること（関連説明：段落〔００６２〕ならびに図７参照）、開封途中に背シール帯４０の折り曲げ元部４２ならびにヒートシール突合せ端部４３がないため持ち替えて引き裂く必要性がないことなど、従来のピロー包装袋と比較して多くの利便性を備えるものである。
【実施例２】
【００５５】
図５は、本発明におけるピロー包装袋の別の実施形態を示す説明図である。
本発明におけるノッチ部５０ａ，５０ｂについて、天シール帯２０における一側端縁１１ａ近傍に設けられる天シール延設部２２と、底シール帯３０における一側端縁１１ａ近傍に設けられる底シール延設部３２と、に其々設けたものである。
【００５６】
上記の実施形態を形成することによって、上下どちらにでも横方向Ｙに開封できるもので、また背シール帯４０を表側にして左右どちらからでも力が入り易い方向に持ち替えることができるものである。
【実施例３】
【００５７】
図６は、本発明におけるピロー包装袋の別の実施形態を示す説明図であり、図６（ａ）は開封前の使用状態を示している。
包装フィルム１０ｂが二軸延伸フィルムで形成され、包装袋１０ａの上方に位置する天シール帯２０の開口部２１ならびに下方に位置する底シール帯３０の開口部３１に、縦方向Ｘに引き裂かれる複数のノッチ部５０ｃを等間隔に配設して、乾麺やスパゲッティなどの棒状乾燥麺Ｐ等を包装するピロー包装袋１０としたものである。
【００５８】
図６（ｂ）は、開封後の使用状態を示す説明図である。
天シール帯２０を引き裂く場合を例にとって説明すると、
（１）天シール帯２０の開口部２１に等間隔に配設されているノッチ部５０ｃを、小分けする量（幅）の分だけ任意に選択して、縦方向Ｘに引き裂く。
（２）天シール延設部２２に刻設されるノッチ部５０ａと背シール帯４０の端部４１に刻設されるノッチ部５０ｂとを、横方向Ｙに引き裂く。
（３）縦方向Ｘと横方向Ｙに引き裂かれた天シール帯２０の小分け片２４を切り離す。
（４）包装袋１０ａに収納されている棒状乾燥麺Ｐを、引き裂かれた天シール帯２０の小分け片２４の幅の分だけ取り出して小分けすることができる。
【００５９】
図６（ｃ）は、輪ゴムＷで縛った保存状態を示す説明図である。
小分けして包装袋１０ａ内に残された棒状乾燥麺Ｐは、保存用キャップ等の密閉具を使わずにそのまま包装袋１０ａを多めに二つ折りに折り畳んで輪ゴムＷなどで縛ることによって、開封口２５をその場で簡単に密封止することができるものである。
【００６０】
図６（ｄ）は、別の使用状態を示す説明図である。
ピロー包装袋１０に充填される内容物が粉体や粒体、液体の場合は、天シール帯２０に配設されているノッチ部５０ｃをさらに一側端縁１１a側に寄せて配置することで、天シール帯２０の開口部２１を小さくして使い易い開封口２５とすることができる。
【００６１】
また、包装フィルム１０ｂが縦方向Ｘと横方向Ｙとの両方向に引き裂かれるため、包装フィルム１０ｂは二軸延伸フィルムで形成されていることが好ましいが、包装フィルム１０ｂが横方向Ｙに引き裂き性を有する一軸延伸フィルムで形成されている場合であっても、ノッチ部５０ｃの縦方向Ｘの引き裂き距離が僅かであると共に、ノッチ部５０ｃが上方にあって引き裂き易い位置にあるため、天シール帯２０の引き裂き部分を難儀なく引き裂くことができるものである。
【００６２】
図７は、従来のピロー包装袋の開封状態を示す断面説明図である。
従来のピロー包装袋１０の開封状態を、本発明の各部名称に当てはめて詳しく説明する。
（１）ピロー包装袋１０の一側端縁１１ａにあるノッチ部５０ａを引き裂く。
（２）包装フィルム１０ｂの横方向Ｙの引き裂き性（引き裂き方向Ｚ）に沿って、背シール帯４０の端部４１まで引き裂く（一側端縁１１ａのノッチ部５０ａと背シール帯４０のノッチ部５０ｂの間隔があるため、真っ直ぐに引き裂けない）。
（３）ここで一旦、背シール帯４０ならびにヒートシール突合せ端部４３によって引き裂き性が阻止される（時間がかかると同時に面倒である）。
（４）開封開始時にノッチ部５０ａを引き裂いた手を持ち替えて、背シール帯４０の端部４１ならびにヒートシール突合せ端部４３と包装フィルム１０ｂを指で摘み直し、背シール帯４０のノッチ部５０ｂを引き裂く（持ち替える手間を必要とする）。
（５）ノッチ部５０ｂが折り曲げ元部４２付近まで引き裂かれるが、該折り曲げ元部４２近傍は背シール帯４０のヒートシールによって三重にシールされて折り曲げられていることによって（図中、円で囲んであるヒートシール突合せ端部４３の部分）ノッチ部５０ｂの影響が及ばないことから、ヒートシール突合せ端部４３によって引き裂き性が再び阻止される（時間がかかると同時に面倒である）。
（６）さらに、これから開封する部分Ｌのヒートシール突合せ端部４３に引き裂き力を集中させて折り曲げ元部４２ならびにヒートシール突合せ端部４３を引き裂く（二重の手間と強い引き裂き力を必要とし、さらに包装袋１０ａの中央に位置するため引き裂き難い）。
（７）続いて、一側他端縁１１ｂに向かって引き裂いて開封する（背シール帯４０のノッチ部５０ｂと一側他端縁１１ｂのノッチ部５０ａとの間隔があることと、上記（６）の引き裂き力の反動によって、真っ直ぐに引き裂けない）。
【００６３】
また、両側端縁１１が折り返されているピロー包装袋１０（図示なし）は、基本的に天シール２０帯から底シール帯３０に向けて引き裂き性を有しているために、ノッチ部５０ｃは天シール２０帯と底シール帯３０に配置されて縦方向に引き裂いて使用されるものである。
【産業上の利用可能性】
【００６４】
本発明のピロー包装袋は、充填物がバラものや、柔らかいもの、高級品なものと幅広く利用することができると共に、従来のピロー包装袋にない開封時において食べ易い横方向に開封する易開封性を有して容易に開封でき、さらに該開封された包装袋をそのまま飲食用容器袋ならびに保存用容器袋として利用できることから、子供やお年寄りならびに指先の力の弱い女性において容易に開封できる包装袋を提供することができるものであって、本発明における「ピロー包装袋」の産業上の利用可能性は大であると解する。
【符号の説明】
【００６５】
１０    ピロー包装袋
１０ａ  包装袋
１０ｂ  包装フィルム
１１    両側端縁
１１ａ  一側端縁
１１ｂ  一側他端縁
２０    天シール帯
２１    開口部
２２    天シール延設部
２３    境界
２４    小分け片
２５    開封口
３０    底シール帯
３１    開口部
３２    底シール延設部
４０    背シール帯
４１    端部
４２    折り曲げ元部
４３    ヒートシール突合せ端部
５０ａ  ノッチ部
５０ｂ  ノッチ部
５０ｃ  ノッチ部
Ｘ    縦方向
Ｙ    横方向
Ｚ    引き裂き方向
Ｒ    開封されている部分
Ｌ    これから開封する部分
Ｐ    棒状乾燥麺
Ｗ    輪ゴム
【要約】      （修正有）【課題】食べ易い横方向に開封する易開封性手段を備え、開封された包装袋をそのまま飲食用容器袋ならびに保存用容器袋として利用できるピロー包装袋を提供する。【解決手段】包装フィルム１０ｂの一側端縁１１ａならびに一側他端縁１１ｂを折り返して筒状とし、折り返された包装フィルムの両端部の内面同士を対向させて合掌貼りにして背シール帯４０を形成し、包装袋の上下に天シール帯２０、底シール帯３０を形成し、包装フィルムの引き裂き方向が背シール帯と直交する方向に形成される片寄り合掌シールタイプのピロー包装袋１０において、背シール帯が一側端縁方向に片寄せられ、引き裂き方向と対向する方向に折り曲げられて成り、天シール帯の一側端縁近傍に設けられる天シール延設部２２に刻設されるノッチ部５０ａと、背シール帯の端部４１に刻設されるノッチ部５０ｂとが同時加工されて同位置に配設され、引き裂き性に対して平行に設けられる。【選択図】図１【図１】
0005305368.tif 000002
【図２】
0005305368.tif 000003
【図３】
0005305368.tif 000004
【図４】
0005305368.tif 000005
【図５】
0005305368.tif 000006
【図６】
0005305368.tif 000007
【図７】
0005305368.tif 000008